(57)【要約】      （修正有）【課題】使用者がベアディスクをケースに入れて光ディスクカートリッジとするときに、ケースの上下面が確実に区別できる光ディスクカートリッジを提供する。【解決手段】光ディスクを収納するための開口部２ｃを持つケース２ａ、２ｂと開口部を塞ぐための開閉蓋４とからなる光ディスクカートリッジにおいて、開閉蓋はその一端が軸４ａにより開口部の端部に回転可能に取り付けられており、ケースに収納する光ディスクのレーベル面側における開閉蓋の肉厚が軸側では薄くなるような段差７が設けられている。【選択図】図３
2012164378.tif 000002
【特許請求の範囲】
【請求項１】
データ記録面とレーベル面を有する光ディスクと、
前記光ディスクを収納するための開口部を有するケースと、
前記開口部の一端に形成された軸部と
前記軸部を中心に回転可能な状態となるように取り付けられたヒンジ部と前記開口部を塞ぐ蓋部とを有する開閉蓋と、
前記蓋部の肉厚よりも薄い前記ヒンジ部に形成された段差部と
を有する光ディスクカートリッジ。
【請求項２】
前記ケースに収納される前記光ディスクのデータ記録面側の方向に、前記段差部の肉厚が薄くなっていることを特徴とする請求項１に記載の光ディスクカートリッジ。
【請求項３】
前記軸部と前記ヒンジ部が一体成形されていることを特徴とする請求項１または２に記載の光ディスクカートリッジ。
【請求項４】
前記ケースには、前記軸部を前記開口部に取り付けるための勘合穴が形成されており、前記軸部と前記勘合穴との間に隙間部が形成されていることを特徴した請求項１〜３に記載の光ディスクカートリッジ。
【発明の詳細な説明】
【技術分野】
【０００１】
本発明は、光ディスクを出し入れ可能にした光ディスクカートリッジに関する。
【背景技術】
【０００２】
ＣＤ、ＤＶＤ、Ｂｌｕ−Ｒａｙなどの光ディスクは、民生機器ではベアディスクのままで取り扱われるが、医療分野や金融分野などの高い信頼性と耐久性が求められるデータストレージ用途ではベアディスクをケースに格納した光ディスクカートリッジが用いられる。民生機器用途のように、光ディスクカートリッジを用いない場合、使用者が直接ベアディスクを取り扱うことで指紋や脂などの汚れがディスクの記録面へ付着したり、スクラッチ等の傷の発生が生じやすく、ディスクの記録再生品質が損なわれることになる。また、このようなディスクの品質劣化は、使用回数に比例して大きくなる。そのため、高い信頼性と耐久性を確保しなければならない用途では、ベアディスクをケースに格納した光ディスクカートリッジが用いられている。このような光ディスクカートリッジとしては、例えば、ＤＶＤ−ＲＡＭカートリッジが良く知られている。
【０００３】
また、ベアディスクへのデータ記録は、使用用途によって、片面または両面に記録される。多くの場合は、片面のみにデータを記録する仕様となっており、データ記録面とその反対のレーベル面（どのようなデータが保存されているのかを表示している部分）とは、容易に識別が出来るので、ベアディスクではその表裏を取り違えることはない。
【０００４】
ところが、ＤＶＤ−ＲＡＭカートリッジのような光ディスクカートリッジは、ベアディスクが格納されているケースの上下面に顕著な特徴がないために、容易に上下面の識別が出来ない。そのため、ともすれば使用者が勘違いを起こし、光ディスクカートリッジの上下面を逆にしたまま光ディスクを装填することがあった。
【０００５】
そこで、光ディスクカートリッジの上下面を区別してベアディスクを装填するため、光ディスクカートリッジの蓋を兼ねるホルダーに、上面および下面区別用の判別マークを設けた技術が知られている（例えば、特許文献１を参照）。この判別マークは楕円状の凹部に突起部を設けたもので、光ディスクカートリッジの蓋となるホルダーに形成されており、突起部の数で上下面の区別を行う。ベアディスクはホルダーに挟持された状態でディスクカートリッジに装填され、前記突起部とディスクカートリッジの勘合により、ディスクカートリッジへのホルダーの逆挿入を防止している。
【先行技術文献】
【特許文献】
【０００６】
【特許文献１】特開２０００−２６０１４９号公報
【発明の概要】
【発明が解決しようとする課題】
【０００７】
しかしながら、前記従来の構成では、判別マークがホルダーの上下面に設けられているので、使用者が判別マークを誤読してホルダーの上下を誤りやすい。また、ベアディスクは、ホルダーに収納されている構造となっているもの、ホルダーの上下とベアディスクの上下面が同一か否かを判別する構成とはなっていない。更には、ベアディスクが収納されたホルダーが挿入されるケースには顕著な特徴が無いので、ケースの上下の判別は難しい。
【０００８】
そのため、使用者がホルダーの上下を間違えた状態でベアディスクを挿入した後、ベアディスクが収納されたホルダーをケースに挿入してしまい、上下が逆の光ディスクカートリッジになるという課題を有していた。
【０００９】
本発明は、前記従来の課題を解決するもので、使用者がベアディスクをケースに入れて光ディスクカートリッジとするときに、ベアディスクの上下面とケースの上下面が同一面となるように、ケースの上下面が確実に区別できる光ディスクカートリッジを提供することを目的とする。
【課題を解決するための手段】
【００１０】
前記従来の課題を解決するために、本発明の光ディスクカートリッジは、データ記録面とレーベル面を有する光ディスクと、前記光ディスクを収納するための開口部を有するケースと、前記開口部の一端に形成された軸部と前記軸部を中心に回転可能な状態となるように取り付けられたヒンジ部と前記開口部を塞ぐ蓋部とを有する開閉蓋と、前記蓋部の肉厚よりも薄い前記ヒンジ部に形成された段差部とを有していることを特徴としたものである。
【発明の効果】
【００１１】
本発明の光ディスクカートリッジによれば、使用者がベアディスクをケースに入れて光ディスクカートリッジを作る際に、ケースにおけるベアディスクのデータ記録面とレーベル面が確実に区別でき、使用者が誤ってベアディスクのデータ記録面とレーベル面を逆にした状態でケースにベアディスクを装填した光ディスクカートリッジとなることを防止することができる。
【図面の簡単な説明】
【００１２】
【図１】本発明の光ディスクカートリッジをベアディスクのレーベル面から見た斜視図
【図２】本発明の光ディスクカートリッジをベアディスクのデータ記録面から見た斜視図
【図３】（ａ）本発明の光ディスクカートリッジをベアディスクのデータ記録面から見たヒンジ部周辺の拡大斜視図、（ｂ）ヒンジ部の断面図
【図４】（ａ）本発明の光ディスクカートリッジをベアディスクのレーベル面から見たヒンジ部周辺の拡大斜視図、（ｂ）ヒンジ部の断面図
【発明を実施するための形態】
【００１３】
以下に、本発明の光ディスクカートリッジの実施の形態を図面とともに詳細に説明する。
【００１４】
（実施の形態１）
図１は、本実施の形態１における光ディスクカートリッジ１をベアディスクのレーベル面側から見た斜視図であり、図２はベアディスクのデータ記録面側から見た斜視図である。
【００１５】
光ディスクカートリッジ１は、上ケース２ａと下ケース２ｂによりベアディスク３を格納する空間を形成しているケース本体２と、ケース本体２からベアディスク３を出し入れする格納口２ｃと、格納口２ｃを開閉自在になるような部材である開閉蓋部４とにより構成されている。
【００１６】
また、光ディスクカートリッジ１は、上ケース２ａと下ケース２ｂとが接着剤などにて合わさっており、上下ケースが合わさっている面２ｄを中心に上下対称の構造となっている。
【００１７】
図１および図２に図示しているケース本体２には、光ディスクカートリッジ１が、光ディスク装置（図示しない）に収納された際に、光ディスク装置の光ピックアップにてベアディスク３上のデータを読み取るために、ケース本体２に開口部５を形成するために、シャッタ６を有している。
【００１８】
シャッタ６は、ケース本体２に収納されているベアディスク３の上下面と平行にスライドする構造となっており、シャッタ６がスライドすることで、シャッタ６の面積分の開口部５が、ケース本体２に形成される構造となっている。図１ではシャッタ６がスライドした状態（開口部５が形成されている状態）を図示しており、図２ではスライドしていない状態（開口部５が形成されていない状態）を図示している。
【００１９】
また、光ディスク装置に光ディスクカートリッジ１が収納されると、図１に図示しているように自動的にシャッタ６がスライドし、開口部５が形成されることによりベアディスク３上のデータにアクセス可能な状態となる。
【００２０】
以上のように、光ディスクカートリッジ１は、使用者が収納されているベアディスク３を直接、触ることができない構造となっている。
【００２１】
次に、光ディスクカートリッジ１へ、ベアディスク３を出し入れする部分である格納口２ｃと、格納口２ｃを開閉自在とする開閉蓋部４について説明する。
【００２２】
ベアディスク３は、格納口２ｃから、ケース本体２に収納される。そして、一端部にヒンジ部４ａを有する開閉蓋部４を閉じることで、ベアディスク３を使用者が触ることができない状態とする。
【００２３】
また、開閉蓋部４を構成しているヒンジ部４ａは、固定部分であるピン状部材４ａａと、回転部分である回動部４ａｂにて構成されている。ここで、図３、図４を用いて、ヒンジ部４ａについて説明する。
【００２４】
図３（ａ）は、図１に図示されているヒンジ部４ａの斜視図であり、図３（ｂ）は、ヒンジ部４ａの断面図である。また、図４（ａ）は、図２に図示されているヒンジ部４ａの斜視図であり、図４（ｂ）は、ヒンジ部４ａの断面図である。
【００２５】
図３（ａ）、（ｂ）に図示されているように、回動部４ａｂには、開閉蓋部４よりも薄い部分である段差部７が形成されており、ピン状部４ａａは、上下ケースに形成されている勘合穴８ａ（８ｂ）により両端を支持されている。そして、ピン状部４ａａを支点として、回動部４ａｂが、回転することで、格納口２ｃが、開閉蓋部４で閉じるようになっている。
【００２６】
つまり、図３（ａ）に図示されているように、光ディスクカートリッジ１におけるベアディスク３のレーベル面を上側とした場合には、ヒンジ部４ａは、スムーズに開閉動作が可能な状態となる。
【００２７】
一方、図４（ａ）、（ｂ）に図示されているように、光ディスクカートリッジ１のベアディスク３のレーベル面を下側とした場合には、ヒンジ部４ａは、段差部７が、上ケース２ａに係合する構造となり、スムーズに開閉動作しない。
【００２８】
これは、図３（ｂ）および、図４（ｂ）に図示されているように、勘合穴８ａ（８ｂ）には、ピン状部４ａａを固定する部分に加え、隙間部８ｃが、形成されていることにより、光ディスクカートリッジ１のベアディスク３のレーベル面を下側とした場合には、ピン状部４ａａは、上カバー２ａに形成されている勘合穴８ａの隙間部８ｃを埋めるように移動するとともに、段差部７が形成されている回動部４ａｂも移動する。その結果、段差部７が、上ケース２ａと係合する位置に移動することとなる。したがって、回動部４ａｂ、つまり、開閉蓋部４が、開閉動作しない状態となる。
【００２９】
したがって、光ディスクカートリッジ１のベアディスク３のレーベル面を下側とした場合には、開閉蓋部４を閉じることができない構造となっている。
【００３０】
また、ヒンジ部４ａの大きさ、勘合穴８ａ（８ｂ）の深さ及び、径、段差部７の高さは、ヒンジ部４ａが上ケース２ａ側に移動した際にも十分な強度を持って上ケース２ａ及び、下ケース２ｂに保持可能な寸法関係となっている。たとえば、段差部７の高さを勘合穴８ａ（８ｂ）の隙間部８ｃの高さとほぼ同じ寸法とし、回動部４ａｂから突出しているピン状部４ａａの上下それぞれの長さをピン状部４ａａの直径および、勘合穴８ａ（８ｂ）の直径よりも十分大きくし、更に回動部４ａｂから突出しているピン状部４ａａの上下それぞれの長さを段差部７の高さよりも十分大きい値とすればよい。
【００３１】
更に段差部７の厚さ（高さ）は、開閉蓋部４が上ケース２ａ側にピン状部４ａａと回動部４ａｂとともに、移動した際に段差部７が上ケース２ａ側に係合して開閉蓋部４が回転し、格納口２ｃを閉めることが不能となる寸法及とすることが好ましい。
【００３２】
ＤＶＤ規格の片面仕様のディスクや、ＣＤやＤＶＤあるいはＢＤディスクは、一方が、データ記録面であり、他方が、レーベル面のため、ディスク（ベアディスク）の上下判別は容易である。ところが、図１および、図２に示すようにベアディスク３が格納されるケース本体２においては、ベアディスク３のレーベル面とデータ記録面の識別は容易ではないので、使用者は、ベアディスク３のレーベル面とデータ記録面を間違えた状態でケース本体２に収納することがある。しかし、本発明の光ディスクカートリッジ１のデータ記録面を上側にした状態でベアディスク３を収納しようとすると、上述したように、段差部７が上ケース２ａの端部に係合するので、開閉蓋部４が閉まらない状態となる。
【００３３】
従って、使用者がベアディスク３をケース本体２に格納し、光ディスクカートリッジ１を作る際に、ケース本体２のレーベル面とデータ記録面が確実に区別でき、使用者が誤ってレーベル面とデータ記録面を逆にしてベアディスク３を収納した光ディスクカートリッジとなることを防止することができる。
【００３４】
また、本実施の形態１においては、ピン状部４ａａと回動部４ａｂが、別部材としているが、一体成形してもよい。また、材質については、特に限定するものではない。
【００３５】
また、光ディスクカートリッジ１を光ディスク装置に収納する際には、光ディスクカートリッジ１の上下識別機構により、上下逆と判別された場合、光ディスク装置に光ディスクカートリッジを収納できないようになっている。この様な場合、片面ディスクを上下逆に収納した光ディスクカートリッジを光ディスク装置に装填すると、光ディスク装置はレーベル面を記録再生しようとする為、エラーとなる。しかし使用者は、光ディスクカートリッジにベアディスクが入った状態なのでエラーとなっている原因を認識しにくく、原因が容易に分からないといったトラブルとなりやすい。しかし、本発明の光ディスクカートリッジ１は、こうした問題を未然に防止することが出来る。
【産業上の利用可能性】
【００３６】
本発明にかかる光ディスクカートリッジは、ベアディスクをケースに入れる際に、ケースの上下方向を正しく入れることが出来るので、医療分野や金融分野等の高い信頼性と耐久性が求められるデータストレージ用途における光ディスクカートリッジして有用である。
【符号の説明】
【００３７】
１  光ディスクカートリッジ
２  ケース本体
２ａ  上ケース
２ｂ  下ケース
２ｃ  格納口
２ｄ  面
３  ベアディスク
４  開閉蓋部
４ａ  ヒンジ部
４ａａ  ピン状部
４ａｂ  回動部
５  開口部
６  シャッタ
７  段差部
８ａ、８ｂ  勘合穴
８ｃ  隙間部
【図１】
2012164378.tif 000003
【図２】
2012164378.tif 000004
【図３】
2012164378.tif 000005
【図４】
2012164378.tif 000006